(57)【要約】【課題】操作パネルの操作性を向上できると共に操作パネルの誤動作を低減でき、且つ意図していない設定変更を防止できる再送信装置を提供する。【解決手段】再送信装置２０は、電源部４１、入力分配部２１、変／復調ユニット４２ａ、４２ｂ、…、出力混合部２４からなり、変／復調ユニット４２ａ、４２ｂ、…にリモコン５０を接続するためのコネクタ２５ａ、２５ｂ、…を設ける。リモコン５０は動作設定用の操作パネル５１を備え、該操作パネル５１には動作設定用ボタンを設ける。再送信装置２０の動作設定を行う場合、出力混合部２４の出力端子にモニタ装置を接続すると共に、変／復調ユニット４２ａ、４２ｂ、…のコネクタ２５ａ、２５ｂ、…にリモコン５０を接続し、操作パネル５１の各ボタンを操作して動作内容を設定し、設定終了後にリモコン５０を取外して意図しない設定変更を防止する。【選択図】      図２
2010034677.tif 000002
【特許請求の範囲】
【請求項１】
デジタル放送をアナログ放送の周波数帯に変換して再送信する再送信装置であって、
デジタル放送を受信して映像信号及び音声信号を復調するデジタル放送復調部と、
前記デジタル放送復調部で復調された映像信号及び音声信号を再変調し、所定周波数帯の再送信信号に変換して出力するアナログ変調部と、
前記デジタル放送復調部に接続されるリモートコントロール装置接続用コネクタと、
前記コネクタに着脱可能に設けられ、前記デジタル放送復調部の動作を設定する操作パネルを備えたリモートコントロール装置とを具備することを特徴とする再送信装置。
【発明の詳細な説明】
【技術分野】
【０００１】
本発明は、テレビジョン放送の共同受信システムにおいて、地上デジタル放送をアナログ放送の周波数帯に変換して再送信する再送信装置に関する。
【背景技術】
【０００２】
近年、世界的にテレビ放送のデジタル化が進行している。わが国では地上デジタル放送転換の為、２０１１年にアナログ放送が停波される予定となっている。このアナログ放送停波のために、既存の多数のアナログ放送のテレビジョン受信機がデジタル放送対応のテレビジョン受信機に更新する必要に迫られている。
【０００３】
しかしながら、病院、学校、ホテル等の施設に既に導入されているアナログ放送対応の構内テレビジョン受信機については、その多数設置されている受信機を一度に交換・更新することが困難である。その環境に合わせた特殊な機器を使用、例えば、病院やホテルなどのテレビジョン受信機は小型、簡易な機能であったり、操作に制限をかけた端末を介して使用しているためである。
【０００４】
そこで、地上デジタル放送をアナログ放送に変換して、施設の構内で再放送を行う再送信装置を導入することが考えられる。
【０００５】
図３は、一般的なテレビジョン放送の再送信装置の概略構成を示すブロック図である。この再送信装置は、ＵＨＦの信号（地上デジタル放送）が入力される入力端子１と、入力信号の分配損失を補正するためのブースタ２と、ブースタ２により増幅された信号を分配する分配器３と、地上デジタル放送の各チャンネルに対応する地上デジタル放送に対応したデジタル放送復調器４ａ〜４ｎと、アナログ放送の各チャンネルに対応するアナログ変調器５ａ〜５ｎと、このアナログ変調器５ａ〜５ｎで変調された信号を混合する混合器６と、この混合器６で混合された信号を出力する出力端子７とにより構成される。
【０００６】
上記の構成において、入力端子１から入力された既存の地上デジタル放送の信号はブースタ２で増幅され、分配器３により各デジタル放送復調器４ａ〜４ｎに分配される。このデジタル放送復調器４ａ〜４ｎは、地上デジタル放送の各チャンネル（物理チャンネル）に対応しており、地上デジタル放送を復調する。デジタル放送復調器４ａ〜４ｎで復調された信号は、物理チャンネル毎に構成されるアナログ変調器５ａ〜５ｎにより、地上アナログ放送の周波数帯のチャンネルで再変調され、混合器５で混合されて出力端子７から出力される。
【０００７】
そして、従来では、図４（ａ）に示すように上記再送信装置を筐体１０に収納して使用している。図４（ａ）は上記再送信装置を筐体１０に収納した状態を示す斜視図、図４（ｂ）は同図（ａ）における操作パネルの詳細な構成例を示す正面図である。
【０００８】
図４（ａ）に示すように筐体１０内の最上段に電源部１１が収納され、この電源部１１の下側に分配／入力部１２が収納される。この分配／入力部１２には、図３における入力端子１、ブースタ２及び分配器３が設けられる。
【０００９】
また、筐体１０内には、分配／入力部１２の下側に複数の変／復調ユニット１３ａ〜１３ｎが収納される。この変／復調ユニット１３ａ〜１３ｎは、図３におけるデジタル放送復調器４ａ（〜４ｎ）とアナログ変調器５ａ（〜５ｎ）を１構成として５台から１０台を１筐体内に収納する。
【００１０】
また、上記変／復調ユニット１３ａ〜１３ｎの前面側には、図４（ｂ）に詳細を示す操作パネル１４ａ〜１４ｎが設けられる。上記操作パネル１４ａ〜１４ｎは、例えば設置場所にて受信したいデジタル放送復調器４ａ〜４ｎの受信チャネル設定、再放送を行う画面サイズの設定等を行うためのもので、電源スイッチ１５、上下左右の方向を指示するカーソルボタン１６ａ〜１６ｄ、メニューボタン１７ａ、決定ボタン１７ｂを備えている。
【００１１】
更に、筐体１０内の最下部、すなわち変／復調ユニット１３ａ〜１３ｎの下側には、混合／出力部１９が収納される。この混合／出力部１９には、図３における混合器６及び出力端子７が設けられる。
【００１２】
上記操作パネル１４ａ〜１４ｎにて各種設定を行う場合は、再送信装置の出力端子７にモニタ装置（テレビジョン受信機）（図示せず）を接続した状態でメニューボタン１７ａを押下する。このメニューボタン１７ａを押下すると、上記モニタ装置にメニューが表示されるので、所望のメニューを選択してカーソルボタン１６ａ〜１６ｄを操作し、受信チャネルの設定等を行い、決定ボタン１７ｂを押下して設定内容を決定する。
【００１３】
従来の再送信装置は、上記のように変／復調ユニット１３ａ〜１３ｎの前面にそれぞれ操作パネル１４ａ〜１４ｎを設けて各種の設定を行っているので、管理者以外の第三者が操作パネル１４ａ〜１４ｎを操作することが可能である。このため操作に精通していない人や、悪意を持って設定を変える人などに操作パネル１４ａ〜１４ｎが操作される可能性がある。また、操作パネル１４ａ〜１４ｎは、変／復調ユニット１３ａ〜１３ｎに常に接続されているので、パネル部の誤動作による運用中のチャンネル変更や設定変更が生じる恐れがある。更に、再送信装置の小型化したい場合、ボタンサイズを小型にすることによって操作性が悪化するという問題がある。
【００１４】
また、本発明に関連する公知技術として、ＢＳデジタル放送をヘッドエンド装置で受信して復調し、この復調された信号をＱＡＭ変調装置で再変調してＣＡＴＶ網へ再送信するＣＡＴＶシステムが知られている（例えば、特許文献１参照。）。
【特許文献１】特開２００３−９２７４２号公報
【発明の開示】
【発明が解決しようとする課題】
【００１５】
上記のように従来の再送信装置は、変／復調ユニット１３ａ〜１３ｎの前面に操作パネル１４ａ〜１４ｎを設けて各種の設定を行っているので、管理者以外の第三者が操作パネル１４ａ〜１４ｎを操作することが可能であり、操作に精通していない人や、悪意を持って設定を変える人などに操作パネル１４ａ〜１４ｎが操作される可能性があると共に、パネル部の誤動作による運用中のチャンネル変更や設定変更が生じる恐れがあり、更に小型化を図る場合にボタンサイズを小型にすることによって操作性が悪化するという問題がある。
【００１６】
本発明は上記の課題を解決するためになされたもので、操作パネルの操作性を向上させることができると共に操作パネルの誤動作を低減でき、且つ意図していない設定変更を防止することができる再送信装置を提供することを目的とする。
【課題を解決するための手段】
【００１７】
本発明に係る再送信装置は、デジタル放送をアナログ放送の周波数帯に変換して再送信する再送信装置であって、デジタル放送を受信して映像信号及び音声信号を復調するデジタル放送復調部と、前記デジタル放送復調部で復調された映像信号及び音声信号を再変調し、所定周波数帯の再送信信号に変換して出力するアナログ変調部と、前記デジタル放送復調部に接続されるリモートコントロール装置接続用コネクタと、前記コネクタに着脱可能に設けられ、前記デジタル放送復調部の動作を設定する操作パネルを備えたリモートコントロール装置とを具備することを特徴とする。
【発明の効果】
【００１８】
本発明によれば、デジタル放送をアナログ放送の周波数帯に変換して再送信する再送信装置において、リモートコントロール装置を着脱可能に設け、該リモートコントロール装置の操作パネルの操作によってデジタル放送復調部及びアナログ変調部の動作を設定できるようにしているので、操作パネルの操作性を向上することができる。また、再送信装置の動作設定を行うときのみリモコンを接続し、動作設定時以外ではリモコンを取外しておくことにより、リモコンの接続時間を短縮して操作パネルの誤動作を低減でき、且つ管理者あるいは作業担当者以外の人の設定操作を不可能として、意図していない設定変更を確実に防止することができる。
【発明を実施するための最良の形態】
【００１９】
以下、図面を参照して本発明の一実施形態を説明する。
【００２０】
図１は本発明の一実施形態に係る再送信装置２０の全体の構成を示すブロック図である。図２は上記再送信装置２０を筐体４０に収納した状態を示す斜視図である。なお、図２では、再送信装置２０に各種動作設定を行うリモートコントロール装置（以下、リモコンと略称する）５０を接続した状態を示している。
【００２１】
図１に示すように再送信装置２０は、入力分配部２１、デジタル放送復調部２２ａ、２２ｂ、…、アナログ変調部２３ａ、２３ｂ、…、及び出力混合部２４により構成され、リモコン接続用のコネクタ２５ａ、２５ｂ、…を備えている。このコネクタ２５ａ、２５ｂ、…は、デジタル放送復調部２２ａ、２２ｂ、…及びアナログ変調部２３ａ、２３ｂ、…に接続される。
【００２２】
上記入力分配部２１は、例えばアンテナにより受信された地上デジタル放送電波をデジタル放送復調部２２ａ、２２ｂ、…に入力する。
【００２３】
上記デジタル放送復調部２２ａ、２２ｂ、…は、例えばチューナモジュールとＯＦＤＭ復調部ＬＳＩ及びＭＰＥＧデコーダ等により構成され、各地域の地上デジタル放送のチャンネル数に十分対応できるだけの数を備えている。デジタル放送復調部２２ａ、２２ｂ、…は、それぞれ各チャンネルの地上デジタルの電波信号を復号し、ＴＳデータから映像信号、音声信号、制御信号とを抜き出してデコードすることにより、アナログ信号に変換してアナログ変調部２３ａ、２３ｂ、…へ出力する。
【００２４】
アナログ変調部２３ａ、２３ｂ、…は、それぞれビデオ変調部３１、オーディオ変調部３２及び周波数変換部３３により構成される。上記ビデオ変調部３１は、デジタル放送復調部２２ａ、２２ｂ、…で復調された映像信号をＮＴＳＣ仕様のＶＳＢ（Vestigial Side Band）−ＡＭで再変調する。また、オーディオ変調部３２は、デジタル放送復調部２２ａ、２２ｂ、…で復調された音声信号をＦＭ変調し、例えば４１．２５ＭＨｚのＩＦ音声信号に変換する。周波数変換部３３は、上記ビデオ変調部３１で変調された映像信号及びオーディオ変調部３２で変調された音声信号を混合した後、所定周波数帯例えば現用のアナログ放送のチャンネルと同じ周波数に変換し、有線テレビジョン放送法に準拠したアナログ放送の映像信号と音声信号を出力混合部２４へ出力する。
【００２５】
出力混合部２４は、アナログ変調部２３ａ、２３ｂ、…で変調された各チャンネルのアナログ信号を混合し、再送信信号として外部に出力する。
【００２６】
上記出力混合部２４から出力される再送信信号は、図示しないが例えば病院、学校、ホテル等において、共聴システムにより、各部屋等に設置されている複数のテレビジョン受信機に分配される。
【００２７】
また、上記コネクタ２５ａ、２５ｂ、…には、図２に示すリモコン（ワイヤードリモコン）５０が接続コード５０ａを介して着脱可能に設けられる。
【００２８】
そして、上記再送信装置２０は、図２に示すように筐体４０に収納される。この筐体４０は、必要に応じて屋外ボックス等に収容される。
【００２９】
上記筐体４０内には、各回路部に動作電源を供給する電源部４１が最上段に収納され、この電源部４１の下側に入力分配部２１が収納される。また、筐体４０内には、入力分配部２１の下側に複数の変／復調ユニット４２ａ、４２ｂ、…が収納される。この変／復調ユニット４２ａ、４２ｂ、…は、各系統のデジタル放送復調部２２ａ（２２ｂ、…）とアナログ変調部２３ａ（２３ｂ、…）をそれぞれ１構成として５台から１０台を１筐体内に収納する。なお、図２では、８台の変／復調ユニット４２ａ、４２ｂ、…４２ｈを筐体４０に収納した場合を例として示している。また、上記変／復調ユニット４２ａ、４２ｂ、…には、例えば前面側に上記コネクタ２５ａ、２５ｂ、…が設けられ、動作設定時にリモコン５０が接続される。この場合、リモコン５０には、再送信装置２０の本体側から動作電源が供給される。更に、筐体４０内の最下部、すなわち変／復調ユニット４２ａ、４２ｂ、…の下側には、出力混合部２４が収納される。
【００３０】
上記リモコン５０には、例えば設置場所にて受信したいデジタル放送復調部２２ａ、２２ｂ、…の受信チャネル設定、再放送を行う画面サイズの設定等を行うための操作パネル５１が設けられる。
【００３１】
上記操作パネル５１には、例えば電源スイッチ５２、上下左右の方向を指示するカーソルボタン５３ａ〜５３ｄ、メニューボタン５４ａ、決定ボタン５４ｂが設けられる。
【００３２】
上記の構成において、再送信装置２０の動作設定を行う場合、出力混合部２４の出力端子にモニタ装置（テレビジョン受信機）（図示せず）を接続すると共に、変／復調ユニット４２ａ、４２ｂ、…のコネクタ２５ａ、２５ｂ、…にリモコン５０を接続する。
【００３３】
例えば最初に変／復調ユニット４２ａのコネクタ２５ａにリモコン５０を接続し、メニューボタン５４ａを押下する。このメニューボタン５４ａを押下すると、上記モニタ装置にメニューが表示されるので、所望のメニューを選択してカーソルボタン５３ａ〜５３ｄを操作し、デジタル放送復調部２２ａの受信チャネルの設定等を行い、決定ボタン５４ｂを押下して設定内容を決定する。
【００３４】
上記変／復調ユニット４２ａの設定終了後は、次の変／復調ユニット４２ｂのコネクタ２５ｂにリモコン５０を接続し、上記変／復調ユニット４２ａと同様にして変／復調ユニット４２ｂの動作を設定する。
【００３５】
以下、同様にして各変／復調ユニット４２ａ、４２ｂ、…の動作設定を行い、全ての動作設定を終了した後、コネクタ２５ａ、２５ｂ、…からリモコン５０を外して動作設定を完了する。
【００３６】
上記実施形態に示したように、地上デジタル放送をアナログ放送波に変換して放送する再送信装置において、リモコン５０を着脱可能に設けると共に、リモコン５０に操作パネル５１を設けて各種動作設定を可能としているので、操作パネル５１の操作性を向上することができる。また、再送信装置の動作設定を行うときのみリモコン５０を接続し、動作設定時以外ではリモコン５０を取外しておくことにより、リモコン５０の接続時間を短縮して操作パネル５１の誤動作を低減でき、且つ管理者あるいは作業担当者以外の人は設定操作を行うことが不可能であり、意図していない設定変更を確実に防止することができる。
【００３７】
なお、図１に示した実施形態では、アナログ変調部２３ａ、２３ｂ、…から出力されるアナログ放送波を出力混合部２４で混合し、再送信信号として外部に出力するようにしたが、その他、例えば入力分配部２１に入力されたデジタル放送波をデジタルパススルー回路によりそのまま出力混合部２４へ出力し、この出力混合部２４で上記デジタルパススルー回路を介して送られてくるデジタル放送波とアナログ変調部２３ａ、２３ｂ、…で変調されたアナログ放送波を混合し、再送信信号として外部に出力するようにしても良い。
【００３８】
このように構成とすることにより、再送信装置から出力される再送信信号にはアナログ放送波及び地上デジタル放送波が含まれているので、既存のアナログテレビジョン受信機であっても、また地上デジタル放送の受信機能をもつテレビジョン受信機であっても、テレビジョン放送をそのまま受信することが可能となる。
【００３９】
また、本発明は、上記実施形態そのままに限定されるものではなく、実施段階ではその要旨を逸脱しない範囲で構成要素を変形して具体化できるものである。
【図面の簡単な説明】
【００４０】
【図１】本発明の一実施形態に係る再送信装置の回路構成を示すブロック図である。
【図２】同実施形態における再送信装置を筐体に収納した状態を示す斜視図である。
【図３】従来の一般的な再送信装置の概略構成を示すブロック図である。
【図４】（ａ）は図３に示す再送信装置を筐体内に収納した状態を示す斜視図、（ｂ）は操作パネルの詳細な構成例を示す正面図である。
【符号の説明】
【００４１】
２０…再送信装置、２１…入力分配部、２２ａ、２２ｂ、…、…デジタル放送復調部、２３ａ、２３ｂ、…、…アナログ変調部、２４…出力混合部、２５ａ、２５ｂ、…、…リモコン接続用コネクタ、３１…ビデオ変調部、３２…オーディオ変調部、３３…周波数変換部、４０…筐体、４１…電源部、４２ａ、４２ｂ、…、…変／復調ユニット、５０…リモコン（リモートコントロール装置）、５０ａ…リモコンの接続コード、５１…操作パネル、５２…電源スイッチ、５３ａ〜５３ｄ…カーソルボタン、５４ａ…メニューボタン、５４ｂ…決定ボタン。
【図１】
2010034677.tif 000003
【図２】
2010034677.tif 000004
【図３】
2010034677.tif 000005
【図４】
2010034677.tif 000006